(57)【要約】【課題】暖房運転時の不快な臭気の発生を防止することのできる空気調和機を提供する。【解決手段】通風路１０ａ中に配された室内熱交換器５と、前記室内熱交換器５にて熱交換された空気を吹き出し口１７から室内に送り出す室内ファン６とを備え、暖房運転中にその運転の停止指令が出された時、前記室内熱交換器５に付着した臭気を除去する臭気除去運転として、前記室内熱交換器５の温度を、前記停止指令が出される直前の前記室内熱交換器５の温度より高い温度に保って暖房運転を所定時間実施するもので、空気調和機運転中に室内熱交換器５に付着した各種の臭気成分を除去し、吹き出し口１７から吹き出される空気からの臭気発生を低減させることができる。【選択図】図２
2007057192.tif 000002
【特許請求の範囲】
【請求項１】
通風路中に配された熱交換器と、前記熱交換器にて熱交換された空気を吹き出し口から室内に送り出す送風手段とを備え、暖房運転中にその運転の停止指令が出された時、前記熱交換器に付着した臭気を除去する臭気除去運転として、前記熱交換器の温度を、前記停止指令が出される直前の前記熱交換器の温度より高い温度に保って暖房運転を所定時間実施することを特徴とする空気調和機。
【請求項２】
臭気除去運転として、暖房運転の後、送風手段のみを運転する送風運転を行うようにした請求項１に記載の空気調和機。
【請求項３】
吹き出し口から出た空気を室外に排出するための排気ファンを備え、臭気除去運転と前記排気ファンの運転とを連動させた請求項１又は２に記載の空気調和機。
【請求項４】
臭気除去運転をおこなう際に、排気ファンの回転数を変えられるようにした請求項３に記載の空気調和機。
【請求項５】
通常の暖房運転をおこなった後、臭気除去運転を実施するか否かを選択できるようにした請求項１〜４のいずれか１項に記載の空気調和機。
【請求項６】
通常の暖房運転の「切り」時間を設定する際に、前記暖房運転後、臭気除去運転を行うか否かを選択できるようにした請求項１〜５のいずれか１項に記載の空気調和機。
【請求項７】
一度臭気除去運転をおこなった後、所定の時間が経過するまでは、暖房運転終了時においても臭気除去運転をおこなわないようにした請求項１〜６のいずれか１項に記載の空気調和機。
【請求項８】
通風路中に臭気成分量を検知する臭気検知手段を設け、通常の暖房運転終了時における前記通風路中の臭気成分量に応じて、臭気除去運転の運転時間を変えるようにした請求項１〜７のいずれか１項に記載の空気調和機。
【請求項９】
通風路中に臭気成分量を検知する臭気検知手段を設け、通常の暖房運転終了時における前記通風路中の臭気成分量に応じて、排気ファンのファン回転数を変えるようにした請求項３〜７のいずれか１項に記載の空気調和機。
【請求項１０】
吹き出し口に、前記吹き出し口からの空気の吹き出し方向を制御する風向偏向羽根を設け、臭気除去運転中に前記吹き出し口から吹き出される空気をショートサーキットさせるように前記風向偏向羽根を制御するようにした請求項１〜９のいずれか１項に記載の空気調和機。
【発明の詳細な説明】
【技術分野】
【０００１】
本発明は、空気調和機に関するものであり、更に具体的には空気調和機の室内熱交換器から発生する臭気を除去する運転に関するものである。
【背景技術】
【０００２】
空気調和機の室内機は、運転すると月日の経過と共にタバコや調理時に生じる煙、あるいは室内に散布されたスプレーなどの生活臭に由来する各種の臭気成分が室内熱交換器に付着し、吹き出し口から吹き出される空気が臭気を伴うため、空気調和機の運転の快適性が損なわれていた。
【０００３】
このような問題の対策として、例えば冷房運転もしくは除湿運転をおこなった後、自動的に暖房運転および送風運転をおこなうことにより、臭気の低減を図るようにしたものがあった（例えば、特許文献１参照）。
【特許文献１】特開２００２−１３０７７３号公報
【発明の開示】
【発明が解決しようとする課題】
【０００４】
しかしながら、前記従来の空気調和機に構成においては、臭気除去運転は冷房運転もしくは除湿運転をおこなった後のみに行われ、暖房運転の際の臭気除去については一切考慮されていないという問題があった。
【０００５】
つまり、各種の臭気成分は、空気調和機の運転モードに関わらず熱交換器に付着し得るため、暖房運転時に吹き出し口から吹き出される空気に臭気が伴い、不快感が発生するなどの課題を有していた。
【０００６】
本発明は、このような従来の課題を解決するもので、暖房運転終了後、熱交換器に付着した各種の臭気成分を除去し、暖房運転時の不快な臭気などの発生を防止することのできる空気調和機を提供することを目的とする。
【課題を解決するための手段】
【０００７】
前記従来の課題を解決するために、本発明の空気調和機は、通風路中に配された熱交換器と、前記熱交換器にて熱交換された空気を吹き出し口から室内に送り出す送風手段とを備え、暖房運転中にその運転の停止指令が出された時、前記熱交換器に付着した臭気を除去する臭気除去運転として、前記熱交換器の温度を、前記停止指令が出される直前の前記熱交換器の温度より高い温度に保って暖房運転を所定時間実施するもので、空気調和機運転中に熱交換器に付着した各種の臭気成分を除去し、吹き出し口から吹き出される空気からの臭気発生を低減させることができる。
【発明の効果】
【０００８】
本発明の空気調和機は、暖房運転終了後において、臭気除去運転として直前の暖房運転に比較し熱交換器を高温に保つ暖房運転を所定時間実施することにより、熱交換器に付着した各種の臭気成分を揮発させ除去し、吹き出し口から吹き出される空気からの臭気発生を低減させることができる。
【発明を実施するための最良の形態】
【０００９】
第１の発明は、通風路中に配された熱交換器と、前記熱交換器にて熱交換された空気を吹き出し口から室内に送り出す送風手段とを備え、暖房運転中にその運転の停止指令が出
された時、前記熱交換器に付着した臭気を除去する臭気除去運転として、前記熱交換器の温度を、前記停止指令が出される直前の前記熱交換器の温度より高い温度に保って暖房運転を所定時間実施するもので、空気調和機運転中に熱交換器に付着した各種の臭気成分を除去し、吹き出し口から吹き出される空気からの臭気発生を低減させることができる。
【００１０】
第２の発明は、特に、第１の発明の臭気除去運転として、暖房運転の後、送風手段のみを運転する送風運転を行うようにしたもので、熱交換器から脱離した各種の臭気成分を、空気調和機本体内から除去し、臭気成分が熱交換器に再付着するのを防ぐことができる。
【００１１】
第３の発明は、特に、第１又は第２の発明の吹き出し口から出た空気を室外に排出するための排気ファンを備え、臭気除去運転と前記排気ファンの運転とを連動させたもので、臭気除去運転時に排気ファンを運転するようにすれば、各種の臭気成分を室外に排出することができ、暖房運転終了後の室内環境を著しく損ねることを更に緩和、あるいは防ぐことができる。
【００１２】
第４の発明は、特に、第３の発明の臭気除去運転をおこなう際に、排気ファンの回転数を変えられるようにしたもので、ユーザーが、排気ファンを動作させることによって生じる騒音を嫌う場合、排気ファンの回転数を下げたり、騒音以上に臭気が気になる場合、排気ファンの回転数を上げるなど、ユーザーの利便性を向上させることができる。
【００１３】
第５の発明は、特に、第１〜４のいずれか一つの発明の通常の暖房運転をおこなった後、臭気除去運転を実施するか否かを選択できるようにしたもので、例えば、ユーザーが臭気除去運転を好まない場合、臭気除去運転を行わないことを選択でき、ユーザーの利便性を向上させることができる。
【００１４】
第６の発明は、特に、第１〜５のいずれか一つの発明の通常の暖房運転の「切り」時間を設定する際に、前記暖房運転後、臭気除去運転を行うか否かを選択できるようにしたもので、暖房運転の「切り」時間設定時に、臭気除去運転をおこなわない場合、就寝時の臭気除去運転に伴う騒音や室内環境の悪化を防ぐことができる。あるいは、ユーザーが臭気除去運転をおこなうか、おこなわないか選択できるので、就寝時においても、騒音や、室内環境の悪化が気にならないのであれば、ユーザーが臭気除去運転を選択することができ、ユーザーの利便性を向上させることができる。
【００１５】
第７の発明は、特に、第１〜６のいずれか一つの発明の一度臭気除去運転をおこなった後、所定の時間が経過するまでは、暖房運転終了時においても臭気除去運転をおこなわないようにしたもので、臭気除去運転が１日に何度も行われるような無駄を防ぐことができる。
【００１６】
第８の発明は、特に、第１〜７のいずれか一つの発明の通風路中に臭気成分量を検知する臭気検知手段を設け、通常の暖房運転終了時における前記通風路中の臭気成分量に応じて、臭気除去運転の運転時間を変えるようにしたもので、効率的に臭気成分を除去することができる。
【００１７】
第９の発明は、特に、第３〜７のいずれか一つの発明の通風路中に臭気成分量を検知する臭気検知手段を設け、通常の暖房運転終了時における前記通風路中の臭気成分量に応じて、排気ファンのファン回転数を変えるようにしたもので、例えば、熱交換器に付着した各種の臭気成分量が多いほど排気ファンの回転数を増すようにすれば、効率的に臭気成分を室外に排出することができ、暖房運転終了後の室内環境を著しく損ねることを更に緩和、あるいは防ぐことができる。
【００１８】
第１０の発明は、特に、第１〜９のいずれか一つの発明の吹き出し口に、前記吹き出し口からの空気の吹き出し方向を制御する風向偏向羽根を設け、臭気除去運転中に前記吹き出し口から吹き出される空気をショートサーキットさせるように前記風向偏向羽根を制御するようにしたもので、熱交換器から脱離した各種の臭気成分を、攪拌、希釈してから吹き出すことができるので、暖房運転終了後の室内環境を著しく損ねることを更に緩和、あるいは防ぐことができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における空気調和機の冷凍サイクル構成図、図２は、同空気調和機の室内機の構成を示す概略断面図、図３は、同空気調和機の制御内容を示すブロック図である。
【００２１】
図１において、１は圧縮機、２は四方弁、３は室外熱交換器、４は減圧機、５は室内熱交換器であり、順次冷媒を通す冷媒配管１６で接続してヒートポンプ式の冷凍サイクルを形成している。また、６は室内熱交換器５に通風する送風手段となる室内ファン、７は室内熱交換器５を構成する配管（図示せず）の温度を検知する配管温センサ、８は室外熱交換器３に通風する室外ファンである。９は、室内と室外とを連通するダクト（図示せず）を介して、室内機１３の吹き出し口１７から排出された空気を室外に排出するための排気ファンである。圧縮機１と、四方弁２と、室外熱交換器３と、室外ファン８は、本実施の形態における空気調和機の室外機（図示せず）に内蔵されている。
【００２２】
室内機１３は、図２に示すように、室内熱交換器５と、室内ファン６と、排気ファン９と、通風路１０ａを形成するケーシング１０と、室内熱交換器５で熱交換された空気を吹き出す吹出し口１７に設けられ吹出し風の向きを変える風向偏向羽根１１と、通風路１０ａ中の臭気量を検知する臭気センサ１２から構成されている。また、１４は、空気調和機の運転をリモートコントロールするためのリモコンであり、ユーザーがリモコン１４上で様々な操作をおこなうことが可能となっている。
【００２３】
次に、上記構成による空気調和機の空調作用について説明する。
【００２４】
暖房運転時においては、圧縮機１で吸入し圧縮された冷媒は、四方弁２を経て室内熱交換器５に送られ、ここで凝縮液化する。室内熱交換器５を出た冷媒は減圧機４で減圧され室外熱交換器３に導かれ、ここで冷媒が蒸発して室外空気（外気）から蒸発潜熱を奪い気化する。そして室外熱交換器３を経た冷媒は、再び四方弁２を経て圧縮機１に吸入される。
【００２５】
以上のように構成された空気調和機において、以下にその実施の形態について詳述する。
【００２６】
図３において、２０は、室内機１３に内蔵された制御装置で、空気調和機運転中における室内熱交換器５の温度を記憶する室内熱交換器温度記憶手段２１と、室内熱交換器５に付着した臭気を除去する臭気除去運転をおこなわせる臭気除去運転指示手段２２を備えている。制御装置２０からは、圧縮機１、室内ファン６、排気ファン９に必要に応じて制御信号が送られる。
【００２７】
空気調和機の暖房運転中にリモコン１４から停止指令が出されたとき、該指令を受けた時点における室内熱交換器５の温度Ｔａ［℃］を配管温センサ７でサンプリングし、室内
熱交換器温度記憶手段２１に記憶する。そして、臭気除去運転指示手段２２により、室内熱交換器温度記憶手段２１に記憶された温度Ｔａ［℃］に所定の温度Ｔｂ［℃］（例えば１５℃）を加えた温度Ｔｃ［℃］を、臭気除去運転としての暖房運転における室内熱交換器５の目標温度に設定する。
【００２８】
次に、臭気除去運転指示手段２２により、配管温センサ７で室内熱交換器５の温度を検知しながら圧縮機１や室内ファン６を制御し、室内熱交換器５の温度を目標温度Ｔｃ［℃］に調節し、臭気除去運転としての暖房運転を所定の時間Ｍ１［分］おこなう。
【００２９】
このとき、同時に臭気除去運転指示手段２２より、排気ファン９に運転指令を出し、室内機１３から排出された空気をダクトを介して室外に排気するようにする。
【００３０】
このとき、同時に臭気除去運転指示手段２２により、吹き出し口１７から吹き出される空気をショートサーキットさせる位置へ風向偏向羽根１１の位置の制御をおこなう。
【００３１】
この臭気除去運転としての暖房運転では、室内熱交換器５の温度上昇にともない室内熱交換器５の表面上に付着した各種の臭気成分が揮発、脱離し、また室内ファン６の運転による通風のため、室内の清浄空気との循環を繰り返すことで臭気濃度差により、室内熱交換器５に付着した臭気成分が脱離されて、臭気成分発生量が徐々に増加していく。
【００３２】
こうして臭気除去運転としての暖房運転により、室内機１３内の臭気成分発生量が徐々に増加してくるが、吹き出し口１７から吹出される空気は、風向偏向羽根１１によりショートサーキットしており、また排気ファン９の動作により臭気成分が室外に放出され、臭気成分の室内放出を低下させることができるため、臭気除去運転のための暖房運転により臭気成分発生量が増加するにもかかわらず、室内環境の快適性低下が軽減されることになる。
【００３３】
所定時間Ｍ１［分］だけ臭気除去運転としての暖房運転を実施した後、臭気除去運転指示手段２２により、圧縮機１に停止信号を送信し臭気除去運転としての暖房運転を停止させ、続いて室内ファン６のみを運転する送風運転に切り替え所定の時間Ｍ２［分］だけ運転をおこなう。
【００３４】
この臭気除去運転としての送風運転によって、室内の清浄空気との循環を繰り返すことにより、室内機熱交換器５の表面上に残留している臭気成分が循環空気との臭気濃度差により脱離されてくる。
【００３５】
また、臭気除去運転としての送風運転により、室内機１３の中の空気は、臭気成分を多く含んだものから清浄空気に入れ替わるため、室内熱交換器５の温度が室温まで降下してきたときにおいても、除去した臭気が再付着することはない。
【００３６】
所定時間Ｍ２［分］だけ臭気除去運転としての送風運転を実施した後、臭気除去運転指示手段２２により停止信号を送信し室内ファン６や排気ファン９を停止させ臭気除去運転としての送風運転を停止させ、臭気除去運転を終了する。
【００３７】
本実施の形態における臭気除去運転において、排気ファン９の回転数をユーザーがリモコン１４によって自由に選択できるようにすることで、排気ファン９を動作させることによって生じる騒音について、ユーザーがそれを嫌う場合は、排気ファン９の回転数を下げることができ、また騒音を気にせず、臭気除去効率を上げたい場合は、逆に高回転数とすることができるため、ユーザーの利便性を向上させることができる。
【００３８】
又、臭気除去運転を行うか行わないかユーザーがリモコン１４によって自由に選択できるようにすることで、ユーザーが臭気除去運転を好まない場合、臭気除去運転を行わないことを選択でき、ユーザーの利便性をさらに向上させることができる。
【００３９】
また、ユーザーがリモコン１４を用いて、通常の暖房運転の「切り」時間を設定する時に、暖房運転終了後に臭気除去運転を行わない、または行うか行わないか選択できるようにすることで、「切り」時間設定時に臭気除去運転をおこなわない場合、本実施の形態の臭気除去運転であれば、できる限り、騒音や室内環境が悪化しないように考慮しているが、それでも、ある程度は、騒音や室内環境の悪化はあるので、それを防ぐことができる。
【００４０】
あるいは、ユーザーが臭気除去運転を行うか、行わないか選択できるようにすることで、就寝時においても騒音や、室内環境の悪化が気にならないのであれば、ユーザーが臭気除去運転を選択することができ、ユーザーの利便性を向上させることができる。
【００４１】
また、一度臭気除去運転をおこなった場合、所定の時間(例えば２４時間)が経過するまでは、暖房運転終了後においても、臭気除去運転をおこなわないようにすれば、臭気除去運転を１日に何度もおこなうような無駄を防ぐことができる。
【００４２】
また、室内機１３の通風路１０ａ中の臭気量を検知できる臭気センサ１２を用いて、臭気除去運転指示手段２２が、通風路１０ａ中の臭気強度に応じて除去運転の実施時間Ｍ１乃至Ｍ２もしくはその両方を定めることで、より効率的に臭気成分を除去することができる。
【００４３】
また、室内機１３の通風路１０ａ中の臭気量を検知できる臭気センサ１２を用いて、臭気除去運転指示手段２２が、通風路１０ａ中の臭気強度に応じて排気ファン９の回転数を定めるようにすれば、より効率的に臭気成分を除去することができる。
【産業上の利用可能性】
【００４４】
本発明の空気調和機は、暖房運転終了後に吹き出し口から吹き出される臭気を低減することが出来るもので、家庭用、業務用の各種空気調和機に適用できる。
【図面の簡単な説明】
【００４５】
【図１】本発明の実施の形態１における空気調和機の冷凍サイクル構成図
【図２】同空気調和機の室内機の概略断面図
【図３】同空気調和機の制御内容を示すブロック図
【符号の説明】
【００４６】
３  室外熱交換器
５  室内熱交換器（熱交換機）
６  室内ファン（送風手段）
７  配管温センサ
８  室外ファン
９  排気ファン
１０  ケーシング
１０ａ  通風路
１１  風向偏向羽根
１２  臭気センサ（臭気検知手段）
１３  室内機
１７  吹き出し口
２０  制御装置
２１  室内熱交換器温度記憶手段
２２  臭気除去運転指示手段
【図１】
2007057192.tif 000003
【図２】
2007057192.tif 000004
【図３】
2007057192.tif 000005